(57)【要約】【課題】簡単な構成で労力負担及び作業コストの増大を招くことなく容易に軒先に対する取付作業を行うことができる樋支持装置を提供する。【解決手段】樋支持装置１６は、最も棟側に位置する棟側部材１７と当該棟側部材１７よりも軒先側に位置する軒先側部材１８を備えている。棟側部材１７には棟瓦１５Ｂの裏面１５ｅ側で屋根本体１２に固定される固定部１９が設けられ、軒先側部材１８には軒先瓦１５Ａの表面１５ｄ上に屋根勾配方向に沿うように配置される長尺部２１と雨樋Ｒを支持する樋受け部２３が設けられている。そのため、樋支持装置１６の取付作業を行う際、屋根１１の棟瓦１５Ｂを剥がして樋支持装置１６を取り付けた後に一旦剥がした棟瓦１５Ｂを元に戻すという一連の作業のみで済む。従って、簡単な構成で労力負担が増大するのを抑制することができる。【選択図】      図１
2004156385.tif 000002
【特許請求の範囲】
【請求項１】
屋根の最も軒先側に位置する瓦の屋根勾配方向の長さよりも長く形成され当該瓦の表面上に屋根勾配方向に沿うように配置される長尺部と、屋根の軒先近傍に配置されて雨樋を支持する樋受け部と、屋根の棟側において当該棟側に位置する瓦の裏面側で屋根本体に固定される固定部とを備えた樋支持装置。
【請求項２】
屋根への取付状態において最も軒先側に位置する軒先側部材と当該軒先側部材よりも棟側に位置する棟側部材との組み合わせ構成とされ、前記樋受け部は前記軒先側部材に設けられる一方、前記固定部は前記棟側部材に設けられ、前記長尺部は前記軒先側部材又は棟側部材に設けられている請求項１に記載の樋支持装置。
【請求項３】
前記軒先側部材と棟側部材とは、屋根への取付状態において、相互位置関係が調節可能とされている請求項２に記載の樋支持装置。
【発明の詳細な説明】
【０００１】
【発明の属する技術分野】
本発明は、雨樋を屋根の軒先に支持する樋支持装置に関するものである。
【０００２】
【従来の技術】
従来から、雨樋を屋根の軒先に支持する樋支持装置としては、一般的に、先端に樋受け部が形成されたアーム状の金具であって、該金具の基端部側を軒下に釘などで直接打ち付け固定するようにした樋支持装置が知られている。しかし、この樋支持装置を軒下に取り付ける際には、地面から軒先高さまで作業者が乗るための仮設足場を組まなければならず、その仮設足場用の支柱や踏み板等にかかる費用が作業コストを増加させるという問題があった。そこで、このような問題を解決するために、近時においては、樋支持装置の取り付け作業を作業者が屋根上に乗った状態で行うようにし、作業コスト増に繋がる仮設足場を組まなくても取り付け可能な樋支持装置が提案されている。
【０００３】
例えば、特許文献１に記載の樋支持装置では、野路板としての断熱ボード上に、棟側から軒先側にかけて屋根勾配に平行する複数本の垂木部材を等間隔に差し掛け、各垂木部材を屋根上での作業により断熱ボードに吊子部材で固定できるようにしている。各垂木部材の内部には樋垂木金具が挿入されており、それら各樋垂木金具は軒先への突出長さが調整可能な構成とされている。また、各樋垂木金具の軒先側には、樋を支持する樋受金具が取り付けられており、それら各樋受金具により樋を軒先に沿うように支持している。そして、前記垂木部材、樋垂木金具及び樋受金具等から構成される樋支持装置を屋根上に固定した後において、前記各垂木部材上に横葺き屋根板（瓦に相当するもの）を軒から棟側へ葺き上げ固定するようにしている。
【０００４】
【特許文献１】
特公平０７−１１１７４号公報
【０００５】
【発明が解決しようとする課題】
ところが、前記特許文献１の樋支持装置では、屋根上における装置の取付作業時、特に、軒先に既に取り付けられている旧い樋支持装置を経年劣化などの理由により新しい樋支持装置と交換する場合の作業負担が問題となっていた。即ち、前記樋支持装置では、垂木部材が横葺き屋根板と断熱ボードの間に介挿されていることから、旧い樋支持装置の取り外しのためには、当該旧い樋支持装置上を覆っている横葺き屋根板を全て剥がさなければならなかった。また、新しい樋支持装置を交換した後には、一旦剥がした横葺き屋根板を軒から棟側へ再び葺き上げ、当該新しい樋支持装置上を覆うように吊子部材にて固定しなければならなかった。従って、横葺き屋根板を剥がして樋支持装置を交換した後に横葺き屋根板を再び葺き上げるという一連の交換・取付作業に要する時間が多大なものとなり、労力負担を増大するという問題があった。また、前記横葺き屋根板が汎用的な瓦である場合、一般的に、軒から棟側へ葺き上げられた瓦は、屋根の最も軒先側に配設された瓦が釘により固定されていることが多い。従って、そのような場合には、前記樋支持装置の交換・取付作業において、屋根の最も軒先側に配設された瓦を剥がす際に当該瓦を固定している釘を取り外さなければならず、作業がより煩雑になるという問題もあった。
【０００６】
この発明は、このような従来の技術に存在する問題点に着目してなされたものであり、その目的は、簡単な構成で労力負担及び作業コストの増大を招くことなく容易に軒先に対する取付作業を行うことができる樋支持装置を提供することにある。
【０００７】
【課題を解決するための手段】
上記問題点を解決するために、請求項１に記載の発明は、屋根の最も軒先側に位置する瓦の屋根勾配方向の長さよりも長く形成され当該瓦の表面上に屋根勾配方向に沿うように配置される長尺部と、屋根の軒先近傍に配置されて雨樋を支持する樋受け部と、屋根の棟側において当該棟側に位置する瓦の裏面側で屋根本体に固定される固定部とを備えたことを要旨とする。
【０００８】
請求項２に記載の発明は、請求項１に記載の樋支持装置において、屋根への取付状態において最も軒先側に位置する軒先側部材と当該軒先側部材よりも棟側に位置する棟側部材との組み合わせ構成とされ、前記樋受け部は前記軒先側部材に設けられる一方、前記固定部は前記棟側部材に設けられ、前記長尺部は前記軒先側部材又は棟側部材に設けられていることを要旨とする。
【０００９】
請求項３に記載の発明は、請求項２に記載の樋支持装置において、前記軒先側部材と棟側部材とは、屋根への取付状態において、相互位置関係が調節可能とされていることを要旨とする。
【００１０】
【発明の実施の形態】
以下、本発明を具体化した一実施形態を図１及び図２に従って説明する。なお、以下において「軒先側」「棟側」という場合は、図１中で屋根勾配方向に沿う矢印Ｘで示す側を軒先側とし、矢印Ｙで示す側を棟側としているものとする。また、「瓦の表面」「瓦の裏面」という場合は、各瓦が屋根勾配方向に沿って葺き上げられた状態において、当該瓦の上面側となる面を瓦の表面とし、下面側となる面を瓦の裏面としているものとする。
【００１１】
図１に示すように、屋根１１の屋根本体１２にはその全面に野地板１３が設けられ、野地板１３上には屋根勾配方向と垂直な方向（図１の紙面と直交する方向）へ延びるように桟木１４が屋根勾配方向において所定の間隔毎に固定されている。そして、各桟木１４に対して各瓦１５が当該瓦１５における棟側端下部の掛止片１５ａを掛け止めるようにして野地板１３上に軒先から棟側へ向かって葺き上げられている。
【００１２】
また、屋根勾配方向において互いに隣接する各瓦１５同士は、軒先側に配設される瓦１５の棟側端となる尻１５ｂの上に、棟側に配設される瓦１５の軒先側端となる頭１５ｃを重ねるようにして配設されている。前記各瓦１５のうち屋根１１の最も軒先側に配設される瓦（以下、「軒先瓦」という。）１５Ａの尻１５ｂには前記桟木１４と対応する位置に当該軒先瓦１５Ａの表面１５ｄから裏面１５ｅへ貫通する貫通孔１５ｆが形成されている。そして、この貫通孔１５ｆを介して釘Ｔを桟木１４に打ち付けることにより、前記軒先瓦１５Ａは野地板１３（屋根本体１２）上に位置決め固定されている。
【００１３】
次に、本実施形態における樋支持装置１６について図１及び図２に従って詳しく説明する。
図１に示すように、樋支持装置１６は、棟側部材１７と軒先側部材１８という２つの部材の組み合わせ構成とされている。前記棟側部材１７及び軒先側部材１８の材質については、ある程度の耐久性を備えたものであれば、特に限定されるものではなく、例えば金属製、樹脂製等の材質のものが適用可能であり、本実施形態ではステンレス製の板状部材により構成されている。そして、この棟側部材１７と軒先側部材１８との相互位置関係は、屋根１１への取付状態において、軒先側部材１８が最も軒先側に位置し、当該軒先側部材１８よりも棟側部材１７の方が棟側に位置する関係とされている。
【００１４】
まず、棟側部材１７から説明すると、図１及び図２（ｂ）に示すように、棟側部材１７は、板状部材が略Ｌ字状をなすように屈曲形成されたものであり、平板状をなす固定部１９と当該固定部１９の軒先側の端部から略垂直方向に立設する立設部２０を備えている。前記固定部１９は、樋支持装置１６を屋根１１に取り付ける際に前記野地板１３に固定されるものであり、図２（ｂ）に示すように、複数（本実施形態では２つ）の貫通孔１９ａが形成されている。また、前記固定部１９の裏面側（野地板１３に対する対向面となる側）には当該固定部１９の端縁部分から突出するように尖形をなす複数個（本実施形態では８個）の尖形部１９ｂが形成されている。
【００１５】
また、前記立設部２０は前記軒先瓦１５Ａの掛止片１５ａと略同じ高さに形成されており、その幅方向略中央部には立設方向に沿って延びるように第１長孔２０ａが形成されている。そして、このように構成された棟側部材１７は、前記固定部１９の裏面側を野地板１３に対向させた状態において、ネジＪが前記貫通孔１９ａを介して野地板１３に螺入されることにより、屋根本体１２に対して固定される。また、その固定状態においては、固定部１９の尖形部１９ｂが野地板１３に突き刺さった状態となり、棟側部材１７の位置ずれを抑制する。
【００１６】
一方、図１及び図２（ａ）に示すように、前記軒先側部材１８は、板状部材が略Ｌ字状をなすように屈曲形成されたものであり、所定長さの長尺部２１と当該長尺部２１の棟側の端部から略垂直方向に垂下する垂下部２２及び前記長尺部２１の軒先側の端部に固定された樋受け部２３を備えている。前記長尺部２１は、前記軒先瓦１５Ａの屋根勾配方向の長さよりも僅かに長く形成された平板状をなしており、樋支持装置１６の取付時には、前記軒先瓦１５Ａの表面１５ｄ上に屋根勾配方向に沿うように配置される。
【００１７】
また、前記垂下部２２は、前記棟側部材１７の立設部２０と重合可能な平板状に形成されており、その幅方向略中央部には前記第１長孔２０ａと対応する第２長孔２２ａが垂下方向に沿って延びるように形成されている。即ち、前記第１長孔２０ａと第２長孔２２ａとが部分的に連通するように立設部２０と垂下部２２とが重合された状態において、前記両長孔２０ａ，２２ａの連通部分に挿入したボルトＢにナットＮを螺嵌することにより、前記棟側部材１７と軒先側部材１８は一体化されるようになっている。また、前記樋受け部２３は、前記長尺部２１が軒先瓦１５Ａの表面上に配置された状態において、屋根１１の軒先近傍に配置されるものであり、雨樋Ｒを支持可能な形状に形成されている。
【００１８】
なお、前記ボルトＢに対するナットＮの螺嵌状態を緩め、前記立設部２０と垂下部２２とを軒先瓦１５Ａの厚さ方向（垂下部２０の垂下方向又は立設部２２の立設方向）へ相対的にスライド移動させることにより、軒先側部材１８は棟側部材１７に対して一定範囲内で無段階に位置調節可能となっている。即ち、軒先側部材１８と棟側部材１７とは、屋根１１への取付状態において、軒先瓦１５Ａの厚さ方向における相互位置関係が前記第１長孔２０ａと第２長孔２２ａの重なり合う範囲内で調節可能とされている。
【００１９】
次に、以上のように構成された本実施形態における樋支持装置１６を屋根１１の軒先に取り付ける際の屋根１１上での作業手順について説明する。
まず、屋根１１の野地板１３上に軒先から棟側へ向かって葺き上げられている各瓦１５のうち、軒先瓦１５Ａの棟側に隣接して位置する瓦（以下、「棟瓦」という。）１５Ｂを剥がす。すると、前記棟瓦１５Ｂが剥がされた箇所において野地板１３が露出するため、当該箇所の野地板１３上に棟側部材１７の固定部１９を固定する。
【００２０】
次に、その棟側部材１７の立設部２０に軒先側部材１８の垂下部２２を重合させる。その際、立設部２０と垂下部２２とは、前記第１長孔２０ａと第２長孔２２ａとが部分的に連通するように且つ軒先側部材１８の長尺部２１が軒先瓦１５Ａの表面１５ｄ上に屋根勾配方向に沿って当接するように、相互位置関係が調節される。即ち、軒先瓦１５Ａの厚さに対応して軒先側部材１８の垂下部２２を上下方向へスライド移動させ、軒先側部材１８の平板状をなす長尺部２１が軒先瓦１５Ａの表面１５ｄ上に当接支持されるようにする。そして、その状態において、第１長孔２０ａと第２長孔２２ａとの連通部分に前記ボルトＢを挿入し、ナットＮにて締結する。
【００２１】
すると、軒先側部材１８が棟側部材１７に一体化され、樋支持装置１６は、前記樋受け部２３を屋根１１の軒先から少し突出させた状態で、屋根本体１２に対して固定支持される。その後、前記棟側部材１７を固定するために一旦剥がした棟瓦１５Ｂを元に戻す。すると、固定部１９が野地板１３上に固定されて露出状態にあった棟側部材１７全体と、軒先側部材１８の棟側端部寄り部分（垂下部２２及び長尺部２１の棟側端部近傍部分）とが前記棟瓦１５Ｂにより覆い隠される。即ち、屋根１１の表面上には軒先瓦１５Ａの表面１５ｄ上に軒先側部材１８の長尺部２１が屋根勾配方向に沿って露出するだけになる。そして最後に、屋根１１の軒先から少し突出するように配置されている樋受け部２３に雨樋Ｒを取り付ければ、屋根上での樋支持装置１６の取付作業は終了する。
【００２２】
なお、前記樋支持装置１６の取付作業に際して、旧い樋支持装置１６が既に取り付けられており、取付作業時には当該旧い樋支持装置１６との交換作業を伴う場合には、次のようにして行う。
【００２３】
まず、旧い樋支持装置１６の樋受け部２３から雨樋Ｒを取り外すと共に、軒先瓦１５Ａに隣接する棟瓦１５Ｂを剥がす。すると、当該棟瓦１５Ｂの下側に隠れていた棟側部材１７全体と軒先側部材１８の垂下部２２等が露出するので、前記ボルトＢとナットＮとの締結状態を解除して軒先側部材１８を軒先瓦１５Ａの表面１５ｄ上から取り外す。次に、棟側部材１７の固定部１９からネジＪを抜いて棟側部材１７を野地板１３上から取り外す。すると、屋根本体１２上から旧い樋支持装置１６が撤去されるので、その後は、前述したとおりの作業手順で、新しい樋支持装置１６の取付作業を行えば、旧い樋支持装置１６と新しい樋支持装置１６との交換作業が完了する。
【００２４】
従って、本実施形態によれば以下のような効果がある。
（１）  本実施形態では、棟側部材１７及び軒先側部材１８からなる樋支持装置１６を屋根上での作業により取り付ける際、軒先瓦１５Ａに隣接する棟瓦１５Ｂのみが剥がされる。そして、その剥がした箇所に棟側部材１７の固定部１９を固定すると共に、軒先側部材１８の長尺部２１を軒先瓦１５Ａの表面１５ｄ上に屋根勾配方向に沿うように配置するだけで、樋受け部２３を屋根１１の軒先近傍に配置した状態で、樋支持装置１６は屋根本体１２に固定支持される。従って、釘Ｔにて位置決め固定されている軒先瓦１５Ａの剥がし作業という煩雑な作業まで必要とされた従来技術の樋支持装置に比べて、簡単な構成で取付（交換）作業に要する時間を大幅に低減することができ、労力負担が増大するのを抑制することができる。
【００２５】
（２）  また、樋支持装置１６は、棟側部材１７と軒先側部材１８という複数（２つ）の部材の組み合わせ構成とされているため、特に、経年劣化に伴う新旧の樋支持装置１６の交換取付作業時には、交換の必要な片方の部材のみの交換で済ませることもでき、その分、装置コストの低減に貢献できる。
【００２６】
（３）  また、軒先側部材１８と棟側部材１７とは、屋根１１への取付状態において、軒先瓦１５Ａの厚さ方向における相互位置関係が調節可能とされている。従って、樋支持装置１６を取り付けようとする屋根１１における軒先瓦１５Ａの厚さが通常とは異なっていたとしても、確実に、軒先側部材１８の長尺部２１を軒先瓦１５Ａの表面１５ｄ上に屋根勾配方向に沿うように配置することができる。
【００２７】
（４）  しかも、棟側部材１７と軒先側部材１８とは、立設部２０の第１長孔２０ａと垂下部２２の第２長孔２２ａとが重なり合う範囲内で、相互位置関係が無段階に調節される。従って、軒先瓦１５Ａの厚さ方向において、棟側部材１７と軒先側部材１８との相互位置関係を的確に位置調節することができる。
【００２８】
なお、前記実施形態は以下のような別の実施形態（別例）に変更して具体化してもよい。
・  前記実施形態では、棟側部材１７と軒先側部材１８とが、立設部２０の第１長孔２０ａと垂下部２２の第２長孔２２ａとが重なり合う範囲内で、無段階に調節されるようになっていたが、これを有段階的に、２段階や３段階など複数段階に調節されるようになっていても良い。
【００２９】
・  前記実施形態では、棟側部材１７と軒先側部材１８とが、軒先瓦１５Ａの厚さ方向において相互位置関係が調節されるようになっていたが、屋根勾配方向において相互位置関係が調節されるようになっていても良い。この構成によれば、軒先瓦１５Ａの屋根勾配方向の長さが通常と異なっていたり、長尺部２１が軒先瓦１５Ａを含む複数の瓦１５の表面上に屋根勾配方向に沿うように配置されたとしても、確実に、樋受け部２３を屋根１１の軒先近傍に配置することができる。なお、軒先瓦１５Ａの厚さ方向及び屋根勾配方向の両方向において相互位置関係が調節されるものであってもよい。
【００３０】
・  また、前記実施形態において、第１長孔２０ａと第２長孔２２ａを各々単なる円孔にしてもよい。即ち、棟側部材１７と軒先側部材１８との相互位置関係は必ずしも調節できなくて良い。
【００３１】
・  前記実施形態では、長尺部２１が軒先側部材１８に設けられていたが、長尺部２１は棟側部材１７に設けられていても良い。即ち、前記立設部２０と垂下部２２のうち何れか一つが固定部１９と長尺部２１とを連結する部位（連結部）として構成され、当該連結部と固定部１９及び長尺部２１を備えた棟側部材１７と、樋受け部２３を備えた軒先側部材１８との組み合わせ構成としてもよい。
【００３２】
・  前記実施形態では、樋支持装置１６が２つの部材（棟側部材１７と軒先側部材１８）の組み合わせ構成とされていたが、３つ以上の複数部材の組み合わせ構成となっていても良い。例えば、樋支持装置１６を３つの部材の組み合わせとする場合、固定部１９と立設部２０を備えた棟側部材１７と、長尺部２１を備えた棟側部材（連結部材）と、樋受け部２３を備えた軒先側部材１８との組み合わせ構成となる。このように樋支持装置１６を３つの部材の組み合わせとすることにより、破損や経年劣化などの状況に応じて適宜に部分的に交換することができる。例えば、棟瓦１５Ｂで覆い隠された固定部１９を有する棟側部材１７は破損や経年劣化しにくく、長尺部２１を備えた棟側部材（連結部材）は雨などに曝されて錆びやすく、樋受け部２３を備えた軒先側部材１８は雪の重みなどにより破損しやすい特徴がある。従って、このような特徴が異なる部分毎に別部材構成とすることにより、交換する必要のない部材を継続して使用することができ、樋支持装置１６に関するコスト増大を抑制することができる。
【００３３】
・  前記実施形態における樋支持装置１６は、棟側部材１７と軒先側部材１８とが一体に形成されていても良い。このような構成によれば、持ち運びに便利であると共に、部材の紛失を抑制することができる。
【００３４】
・  前記実施形態において、樋支持装置１６は、長尺部２１と樋受け部２３及び固定部１９を備えていればよく、その他の部分は適宜変更して形成しても良い。
【００３５】
・  前記実施形態において、長尺部２１は、軒先瓦１５Ａの屋根勾配方向の長さよりも長く形成されていればよく、例えば、軒先瓦１５Ａを含む複数の瓦１５の表面１５ｄ上に屋根勾配方向に沿うように配置され得る長さにしても良い。この場合、樋支持装置１６の固定部１９は、長尺部２１が表面１５ｄ上に配置されている各瓦１５のうち最も棟側に位置する瓦１５の棟側に隣接する瓦（棟瓦１５Ｂ）の裏面１５ｅ側で野地板１３（屋根本体１２）に固定されることになる。
【００３６】
・  前記実施形態における樋受け部２３は、屋根１１の軒先近傍に配置されて雨樋Ｒを支持することができる構成であれば、その形状等に関する構成は適宜変更しても良い。
【００３７】
・  前記実施形態における固定部１９は、棟瓦１５Ｂの裏面１５ｅ側で野地板１３（屋根本体１２）に固定されることができる構成であれば、ネジＪによる固定方法に限らず、適宜に固定方法は変更しても良い。
【００３８】
・  前記実施形態における棟側部材１７及び軒先側部材１８の材質を、例えば、アルミ製などの錆びにくい材質としても良い。このような構成によれば、特に長尺部２１や樋受け部２３が雨により錆びるのを抑制することができると共に、軽量化により軒先瓦１５Ａにかかる負荷を低減することができる。
【００３９】
次に上記実施形態及び別例から把握できる技術的思想について、以下に追記する。
（イ）  前記相互位置関係は、瓦の厚さ方向及び屋根勾配方向のうち少なくとも何れか一方の方向における相互位置関係である請求項３に記載の樋支持装置。
【００４０】
（ロ）  前記相互位置関係は、一定範囲内で無段階に調節される請求項３に記載の樋支持装置。
【００４１】
【発明の効果】
本願発明によれば、簡単な構成で労力負担及び作業コストの増大を招くことなく容易に軒先に対する取付作業を行うことができる。
【図面の簡単な説明】
【図１】本実施形態における屋根における軒先から軒先近傍部分までの一部分を示す縦断面図。
【図２】（ａ）は、本実施形態における軒先側部材を示す斜視図、（ｂ）は、同じく、棟側部材を示す斜視図。
【符号の説明】
Ｒ…雨樋、１１…屋根、１２…屋根本体、１５，１５Ａ，１５Ｂ…瓦、１５ｄ…（瓦の）表面、１５ｅ…（瓦の）裏面、１７…棟側部材、１８…軒先側部材、１９…固定部、２１…長尺部、２３…樋受け部。
【図１】
2004156385.tif 000003
【図２】
2004156385.tif 000004